(57)【特許請求の範囲】
【請求項１】
所定の視野領域から光を集光する光学系を有するレンズ鏡筒を備え、前記光学系が集光した光を受光して画像データを生成する撮像装置であって、
前記レンズ鏡筒の外周部に設けられ、前記光学系の光軸を中心に回転自在であり、内周側に溝部を形成した操作リングと、
前記レンズ鏡筒に設けられ、前記溝部に嵌合可能な接触子を、前記溝部に嵌合して押圧する押圧位置と前記溝部から離間した離間位置との間で進退可能に搭載した可動部を有するアクチュエータと、
当該撮像装置が動画撮影を行っているか否かを判定する動画撮影判定部と、
前記動画撮影判定部によって当該撮像装置が動画撮影を行っていると判定された場合、前記アクチュエータの駆動を制御して前記接触子を前記押圧位置から前記離間位置に退避させるアクチュエータ制御部と、
を備えたことを特徴とする撮像装置。
【請求項２】
前記画像データに対して、複数の画像処理を組み合わせることにより、視覚的な効果を生じさせる処理画像データを生成する画像処理部と、
前記操作リングの回転量および回転方向を検出する回転検出部と、
前記回転検出部が検出した前記回転量および回転方向に応じて、前記画像処理部が行う画像処理を設定する画像処理制御部と、
をさらに備えたことを特徴とする請求項１に記載の撮像装置。
【請求項３】
前記操作リングは、前記レンズ鏡筒の光軸における第１の位置と第２の位置との間で進退可能であり、前記操作リングの光軸方向における前記第１の位置と前記第２の位置を検出する位置検出部をさらに備え、
前記画像処理部は、
前記画像データに対して複数の画像処理を組み合わせることにより視覚的な効果を生じさせる特殊効果処理を行って特殊効果画像データを生成する特殊効果処理部と、
前記画像データに対して複数の画像処理を組み合わせることにより補助的な効果を生じさせる補助効果処理を行って補助効果画像データを生成する補助効果画像処理部と、
を有し、
前記画像処理制御部は、前記位置検出部によって前記操作リングが前記第１の位置に位置していると検出された場合、前記回転検出部が検出した前記回転量および回転方向に応じた前記特殊効果処理を前記特殊効果処理部に設定する一方、前記位置検出部によって前記操作リングが前記第２の位置に位置していると検出された場合、前記回転検出部が検出した前記回転量および回転方向に応じた前記補助効果処理を前記補助効果画像処理部に設定することを特徴とする請求項２に記載の撮像装置。
【請求項４】
前記特殊効果処理の処理内容を記録する特殊効果処理情報記録部と、
前記補助効果処理の処理内容を記録する補助効果処理情報記録部と、
をさらに備え、
前記アクチュエータ制御部は、前記特殊効果処理情報記録部に記録された前記特殊効果処理の数または前記補助効果処理情報記録部に記録された前記補助効果の数に応じて、前記アクチュエータの駆動を制御して前記接触子が前記操作リングに複数形成された前記溝部に嵌合する間隔の設定および前記操作リングの回転量を規制することを特徴とする請求項３に記載の撮像装置。
【請求項５】
前記特殊効果処理は、前記画像データの周辺に対してシェーディング効果を施すシェーディング処理または前記画像データの全体にぼかし効果を施すソフトフォーカス処理のいずれかの処理を含み、
前記補助効果処理は、輝度の明るさを調整する光描画処理、前記画像データの周辺に対してホワイトアウト効果を施すホワイトアウト処理、前記画像データの周辺のみシェーディング効果を施すシェーディング処理およびフレーム画像を重畳する合成処理のいずれかの処理を含むことを特徴とする請求項４に記載の撮像装置。
【請求項６】
前記アクチュエータは、圧電素子、電磁型リニアモータおよびポリマアクチュエータのいずれか一つであることを特徴とする請求項１〜５のいずれか一つに記載の撮像装置。
【請求項７】
前記アクチュエータは、
前記ポリマアクチュエータと、
前記ポリマアクチュエータを挟持する板バネと、
前記ポリマアクチュエータが延在する方向に平行、かつ離間して配置され、前記ポリマアクチュエータを支持する弾性支持部材と、
をさらに有することを特徴とする請求項６に記載の撮像装置。
【請求項８】
前記接触子は、
円、楕円形状または円錐形状をなす単一部材であることを特徴とする請求項１〜７のいずれか一つに記載の撮像装置。
【請求項９】
光電変換を行うことによって画像データを生成するレンズ交換式カメラシステムの本体部に対して着脱自在であり、所定の視野領域から光を集光する光学系を有するレンズ鏡筒を備え、前記本体部と双方向に通信可能なレンズ装置であって、
前記レンズ鏡筒の外周部に設けられ、前記光学系の光軸を中心に回転自在であり、内周側に溝部を形成した操作リングと、
前記レンズ鏡筒に設けられ、前記溝部に嵌合可能な接触子を、前記溝部に嵌合して押圧する押圧位置と前記溝部から離間した離間位置との間で進退可能に搭載した可動部を有するアクチュエータと、
前記本体部が動画撮影を行っているか否かを判定する動画撮影判定部と、
前記動画撮影判定部によって前記本体部が動画撮影を行っていると判定された場合、前記アクチュエータの駆動を制御して前記接触子を前記押圧位置から前記離間位置に退避させるアクチュエータ制御部と、
を備えたことを特徴とするレンズ装置。
【請求項１０】
前記光学系は、
物体側から像面側に順に、負屈折力を有する前側レンズ群および正屈折力を有する後側レンズ群からなり、
前記後側レンズ群は、
少なくとも正屈折力を有する副レンズ群と、正屈折力を有するフォーカスレンズ群とを有し、
前記副レンズ群は、物体側から像面側に順に、少なくとも両凹負レンズおよび両凸正レンズの接合レンズと、両凸正レンズとを用いて構成され、
前記フォーカスレンズ群は、少なくとも両凸正レンズを用いて構成されたことを特徴とする請求項９に記載のレンズ装置。
【発明の詳細な説明】
【技術分野】
【０００１】
本発明は、被写体を撮像して該被写体の画像データを生成するレンズ鏡筒を有する撮像装置および撮像装置に着脱自在なレンズ装置に関する。
【背景技術】
【０００２】
従来から、撮像装置のレンズ鏡筒に設けられ、回転操作が可能な操作リングを操作することにより、フォーカスを調整する技術が知られている（特許文献１参照）。この技術では、操作リングの回転方向に等間隔にクリック音を生じさせることにより、ユーザが操作リングの回転方向および回転角度を確認することができる。
【先行技術文献】
【特許文献】
【０００３】
【特許文献１】特開２０１１−３９３８５号公報
【発明の概要】
【発明が解決しようとする課題】
【０００４】
ところで、上述した技術では、ユーザが動画撮影を行っている場合において、操作リングを操作したとき、操作リングのクリック音が雑音として録音されてしまうという問題点があった。
【０００５】
本発明は、上記に鑑みてなされたものであって、動画撮影を行う場合、操作リングの操作によって生じるクリック音を低減することができる撮像装置およびレンズ装置を提供することを目的とする。
【課題を解決するための手段】
【０００６】
上述した課題を解決し、目的を達成するために、本発明にかかる撮像装置は、所定の視野領域から光を集光する光学系を有するレンズ鏡筒を備え、前記光学系が集光した光を受光して画像データを生成する撮像装置であって、前記レンズ鏡筒の外周部に設けられ、前記光学系の光軸を中心に回転自在であり、内周側に溝部を形成した操作リングと、前記レンズ鏡筒に設けられ、前記溝部に嵌合可能な接触子を、前記溝部に嵌合して押圧する押圧位置と前記溝部から離間した離間位置との間で進退可能に搭載した可動部を有するアクチュエータと、当該撮像装置が動画撮影を行っているか否かを判定する動画撮影判定部と、前記動画撮影判定部によって当該撮像装置が動画撮影を行っていると判定された場合、前記アクチュエータの駆動を制御して前記接触子を前記押圧位置から前記離間位置に退避させるアクチュエータ制御部と、を備えたことを特徴とする。
【０００７】
また、本発明にかかる撮像装置は、上記発明において、前記操作リングは、前記レンズ鏡筒の光軸における第１の位置と第２の位置との間で進退可能であり、前記溝部を周方向に沿って複数形成したことを特徴とする。
【０００８】
また、本発明にかかる撮像装置は、上記発明において、前記アクチュエータは、当該撮像装置が静止画撮影を行っている場合において、前記接触子が少なくとも前記操作リングの内周のうち前記溝部以外の内周が位置しているとき、該内周に前記接触部を接触させ、前記離間位置は、前記接触子が前記内周に接触する位置であることを特徴とする。
【０００９】
また、本発明にかかる撮像装置は、上記発明において、前記画像データに対して、複数の画像処理を組み合わせることにより、視覚的な効果を生じさせる処理画像データを生成する画像処理部と、前記操作リングの回転量および回転方向を検出する回転検出部と、前記回転検出部が検出した前記回転量および回転方向に応じて、前記画像処理部が行う画像処理を設定する画像処理制御部と、をさらに備えたことを特徴とする。
【００１０】
また、本発明にかかる撮像装置は、上記発明において、前記操作リングの光軸方向における前記第１の位置と前記第２の位置を検出する位置検出部をさらに備え、前記画像処理部は、前記画像データに対して複数の画像処理を組み合わせることにより視覚的な効果を生じさせる特殊効果処理を行って特殊効果画像データを生成する特殊効果処理部と、前記画像データに対して複数の画像処理を組み合わせることにより補助的な効果を生じさせる補助効果処理を行って補助効果画像データを生成する補助効果画像処理部と、を有し、前記画像処理制御部は、前記位置検出部によって前記操作リングが前記第１の位置に位置していると検出された場合、前記回転検出部が検出した前記回転量および回転方向に応じた前記補助効果処理を前記補助効果画像処理部に設定する一方、前記位置検出部によって前記操作リングが前記第２の位置に位置していると検出された場合、前記回転検出部が検出した前記回転量および回転方向に応じた前記特殊効果処理を前記特殊効果処理部に設定することを特徴とする。
【００１１】
また、本発明にかかる撮像装置は、上記発明において、前記特殊効果処理の処理内容を記録する特殊効果処理情報記録部と、前記補助効果の処理内容を記録する補助効果処理情報記録部と、をさらに備え、前記アクチュエータ制御部は、前記特殊効果処理情報記録部に記録された前記特殊効果処理の数または前記補助効果処理情報記録部に記録された前記補助効果の数に応じて、前記アクチュエータの駆動を制御して前記接触子が前記操作リングに複数形成された前記溝部に嵌合する間隔の設定および前記操作リングの回転量を規制することを特徴とする。
【００１２】
また、本発明にかかる撮像装置は、上記発明において、前記特殊効果処理は、前記画像の周辺に対してシェーディング効果を施すシェーディング処理または前記画像全体にぼかし効果を施すソフトフォーカス処理のいずれかの処理を含み、前記補助効果処理は、輝度の明るさを調整する光描画処理、前記画像の周辺に対してホワイトアウト効果を施すホワイトアウト処理、前記画像の周辺のみシェーディング効果を施すシェーディング処理およびフレーム画像を重畳する合成処理のいずれかの処理を含むことを特徴とする。
【００１３】
また、本発明にかかる撮像装置は、上記発明において、前記アクチュエータは、圧電素子、電磁型リニアモータおよびポリマアクチュエータのいずれか一つであることを特徴とする。
【００１４】
また、本発明にかかる撮像装置は、上記発明において、前記アクチュエータは、前記ポリマアクチュエータと、前記ポリマアクチュエータを挟持する板バネと、前記ポリマアクチュエータが延在する方向に平行、かつ離間して配置され、前記ポリマアクチュエータを支持する弾性支持部材と、をさらに有することを特徴とする。
【００１５】
また、本発明にかかる撮像装置は、上記発明において、前記接触子は、円、楕円形状または円錐形状をなす単一部材であることを特徴とする。
【００１６】
また、本発明にかかるレンズ装置は、光電変換を行うことによって画像データを生成するレンズ交換式カメラシステムの本体部に対して着脱自在であり、所定の視野領域から光を集光する光学系を有するレンズ鏡筒を備え、前記本体部と双方向に通信可能なレンズ装置であって、前記レンズ鏡筒の外周部に設けられ、前記光学系の光軸を中心に回転自在であり、内周側に溝部を形成した操作リングと、前記レンズ鏡筒に設けられ、前記溝部に嵌合可能な接触子を、前記溝部に嵌合して押圧する押圧位置と前記溝部から離間した離間位置との間で進退可能に搭載した可動部を有するアクチュエータと、当該撮像装置が動画撮影を行っているか否かを判定する動画撮影判定部と、前記動画撮影判定部によって当該撮像装置が動画撮影を行っていると判定された場合、前記アクチュエータの駆動を制御して前記接触子を前記押圧位置から前記離間位置に退避させるアクチュエータ制御部と、を備えたことを特徴とする。
【００１７】
また、本発明にかかるレンズ装置は、上記発明において、前記光学系は、物体側から像面側に順に、負屈折力を有する前側レンズ群および正屈折力を有する後側レンズ群からなり、前記後側レンズ群は、少なくとも正屈折力を有する副レンズ群と、正屈折力を有するフォーカスレンズ群とを有し、前記副レンズ群は、物体側から像面側に順に、少なくとも両凹負レンズおよび両凸正レンズの接合レンズと、両凸正レンズとを用いて構成され、前記フォーカスレンズ群は、少なくとも両凸正レンズを用いて構成されたことを特徴とする。
【発明の効果】
【００１８】
本発明によれば、押圧制御部が動画撮影判定部によって撮像装置が動画撮影を行っていると判定した場合、レンズ鏡筒の径方向に操作リングの溝部が位置しているときの押圧部の先端位置を、撮像装置が静止画撮影を行っているときの先端位置より退避させる。この結果、撮像装置が動画撮影を行っている場合、ユーザが操作リングを光学系の光軸周りに回転または前後させても、クリック音を低減することができるという効果を奏する。
【図面の簡単な説明】
【００１９】
【図１】図１は、本発明の実施の形態１にかかる撮像装置の被写体に面する側の構成を示す斜視図である。
【図２】図２は、本発明の実施の形態１にかかる撮像装置の構成を示すブロック図である。
【図３】図３は、特殊効果処理情報記録部が記録する特殊効果処理に関する情報としての特殊効果処理情報テーブルの一例を示す図である。
【図４】図４は、補助効果処理情報記録部が記録する補助効果処理に関する情報としての補助効果処理情報テーブルの一例を示す図である。
【図５】図５は、図１に示すレンズ鏡筒の沈胴状態における要部の構成を示す断面図である。
【図６】図６は、図１に示すレンズ鏡筒の伸長状態における要部の構成を示す断面図である。
【図７】図７は、図５に示すアクチュエータ駆動制御部の要部の構成を拡大した断面図である。
【図８】図８は、図５に示すアクチュエータ駆動制御部が光軸方向に移動した状態でアクチュエータ駆動制御部の要部の構成を拡大した断面図である。
【図９】図９は、光軸方向から見た際のアクチュエータ駆動制御部の要部の断面図である。
【図１０】図１０は、光軸方向から見た際のアクチュエータ駆動制御部の要部の別の断面図である。
【図１１】図１１は、アクチュエータ駆動制御部の要部を拡大した断面図である。
【図１２】図１２は、アクチュエータ駆動制御部の変化を模式的に示す断面図である。
【図１３Ａ】図１３Ａは、本発明の実施の形態１にかかる撮像装置が行う処理の概要を示すフローチャートである（その１）。
【図１３Ｂ】図１３Ｂは、本発明の実施の形態１にかかる撮像装置が行う処理の概要を示すフローチャートである（その２）。
【図１４】図１４は、表示部が表示する画像の一例を示す図である。
【図１５】図１５は、表示部が表示する画像の一例を示す図である。
【図１６】図１６は、本発明の実施の形態１の変形例１にかかるレンズ鏡筒の沈胴状態における要部の構成を示す断面図である。
【図１７】図１７は、図１６のアクチュエータ駆動制御部の一部をなすアクチュエータの要部を拡大して模式的に示す図である。
【図１８】図１８は、本発明の実施の形態１の変形例２にかかるアクチュエータ駆動制御部の一部をなすアクチュエータの要部を拡大して模式的に示す図である。
【図１９】図１９は、図１８のアクチュエータ駆動制御部の一部をなすアクチュエータの要部の断面図である。
【図２０】図２０は、本発明の実施の形態１の変形例３にかかるアクチュエータ駆動制御部の一部をなすアクチュエータの要部を拡大して模式的に示す断面図である。
【図２１】図２１は、本発明の実施の形態２にかかる撮像装置の被写体に面する側（前面側）の構成を示す斜視図である。
【図２２】図２２は、本発明の実施の形態２にかかる撮像装置の構成を示すブロック図である。
【図２３】図２３は、操作リングが第１の位置に配置された状態のレンズ装置の全体図である。
【図２４】図２４は、操作リングが第２の位置に配置された状態のレンズ装置の全体図である。
【図２５】図２５は、図２３に示す状態におけるレンズ装置の断面図である。
【図２６】図２６は、図２４に示す状態におけるレンズ装置の断面図である。
【図２７】図２７は、アクチュエータの構成を示す上面図である。
【図２８】図２８は、図２７の矢視Ｆ方向からの側面図である。
【図２９】図２９は、アクチュエータを模式的に示す断面図である。
【図３０】図３０は、本発明の実施の形態２の変形例１にかかるアクチュエータの一部をなす断面図である。
【発明を実施するための形態】
【００２０】
以下、図面を参照して、本発明を実施するための形態（以下、「実施の形態」という）を説明する。図面の記載において、同一の部分には同一の符号を付して説明する。また、図面は、模式的なものであり、各部の寸法や比率は、現実と異なることに留意する必要がある。さらに、図面の相互間においても、互いの寸法の関係や比率が異なる部分が含まれる。なお、この実施例によりこの発明が限定されるものではない。
【００２１】
（実施の形態１）
図１は、本発明の実施の形態１にかかる撮像装置の被写体に面する側（前面側）の構成を示す斜視図である。図２は、本発明の実施の形態１にかかる撮像装置の構成を示すブロック図である。
【００２２】
図１および図２に示すように、撮像装置１は、光学系２と、レンズ駆動部３と、絞り４と、絞り駆動部５と、シャッタ６と、シャッタ駆動部７と、撮像素子８と、撮像素子駆動部９と、信号処理部１０と、Ａ／Ｄ変換部１１と、画像処理部１２と、ＡＥ処理部１３と、ＡＦ処理部１４と、画像圧縮展開部１５と、入力部１６と、表示部１７と、表示駆動部１８と、記録媒体１９と、ＳＤＲＡＭ（Synchronous  Dynamic  Random  Access  Memory）２０と、時計２１と、Ｆｌａｓｈメモリ２２と、アクチュエータ駆動制御部２３と、バス２４と、制御部２５と、を備える。
【００２３】
光学系２は、一または複数のレンズを用いて構成される。光学系２は、所定の視野領域から光を集光する。光学系２は、焦点を変化させるフォーカス光学系２ａおよび画角を変化させるズーム光学系２ｂを有する。レンズ駆動部３は、ＤＣモータまたはステッピングモータ等を用いて構成され、光学系２のレンズを光軸Ｏ上で移動させることにより、光学系２のピント位置や画角等の変更を行う。具体的には、レンズ駆動部３は、フォーカス光学系２ａを光軸Ｏ方向に沿って駆動するフォーカスレンズ駆動部３ａと、ズーム光学系２ｂを光軸Ｏ方向に沿って駆動するズームレンズ駆動部３ｂと、を有する。なお、光学系２の詳細な構成については後述する。
【００２４】
絞り４は、光学系２が集光した光の入射量を制限することにより露出の調整を行う。絞り駆動部５は、ステッピングモータ等を用いて構成され、絞り４を駆動する。
【００２５】
シャッタ６は、撮像素子８の状態を露光状態または遮光状態に設定する。シャッタ駆動部７は、ステッピングモータ等を用いて構成され、制御部２５から入力される指示信号に応じてシャッタ６を駆動する。
【００２６】
撮像素子８は、光学系２が集光した光を受光して電気信号に変換するＣＣＤ（Charge  Coupled  Device）またはＣＭＯＳ（Complementary  Metal  Oxide  Semiconductor）等を用いて構成される。撮像素子駆動部９は、制御部２５の制御のもと、所定のタイミングで撮像素子８から画像データ（アナログ信号）を信号処理部１０に出力させる。この意味で、撮像素子駆動部９は、電子シャッタとして機能する。
【００２７】
信号処理部１０は、撮像素子８から入力されるアナログ信号に対して、アナログ処理を施してＡ／Ｄ変換部１１に出力する。具体的には、信号処理部１０は、アナログ信号に対して、ノイズ低減処理およびゲインアップ処理等を行う。たとえば、信号処理部１０は、アナログ信号に対して、リセットノイズ等を低減した上で波形整形後、目的の明るさとなるようにゲインアップを行う。
【００２８】
Ａ／Ｄ変換部１１は、信号処理部１０から入力されるアナログ信号に対してＡ／Ｄ変換を行うことによってデジタルの画像データを生成し、バス２４を介してＳＤＲＡＭ２０に出力する。
【００２９】
画像処理部１２は、バス２４を介してＳＤＲＡＭ２０から画像データを取得し、取得した画像データ（ＲＡＷデータ）に対して各種の画像処理を行って処理画像データを生成する。この処理画像データは、バス２４を介してＳＤＲＡＭ２０に出力される。画像処理部１２は、基本画像処理部１２１と、特殊効果画像処理部１２２と、補助効果画像処理部１２３と、を有する。
【００３０】
基本画像処理部１２１は、画像データに対して、少なくとも、オプティカルブラック減算処理、ホワイトバランス（ＷＢ）調整処理、撮像素子８がベイヤー配列の場合には画像データの同時化処理、カラーマトリクス演算処理、ガンマ補正処理、色再現処理およびエッジ強調処理等を含む基本の画像処理を行う。また、基本画像処理部１２１は、予め設定された各画像処理のパラメータに基づいて、自然な画像を再現する仕上がり効果処理を行って仕上がり効果画像データを生成する。ここで、各画像処理のパラメータとは、コントラスト、シャープネス、彩度、ホワイトバランスおよび階調の値である。
【００３１】
特殊効果画像処理部１２２は、１つの画像データに対して複数の画像処理を組み合わせることにより、視覚的な効果を生じさせる特殊効果画像処理（以下、「アート効果処理」という）を行って処理画像データ（以下、「アート効果画像データ」という）を生成する。具体的には、特殊効果画像処理部１２２は、トーンカーブ処理、ぼかし処理、アルファブレンド処理および画像合成処理等の画像処理を組み合わせることによって、アート効果画像データを生成する。なお、特殊効果画像処理部１２２の処理内容については後述する。
【００３２】
補助効果画像処理部１２３は、画像データに対して特殊効果画像処理と異なる補助効果処理を行う。この補助効果処理としては、たとえば、ソフトフォーカス効果処理、ホワイトアウト効果処理、シェーディング効果処理またはスターライト効果処理等の補助的な画像処理（以下、「エフェクト処理」という）を行って処理画像データ「以下、エフェクト画像データ」という）を生成する。なお、補助効果画像処理部１２３は、特殊効果画像処理部１２２がアート効果処理を行ったアート効果画像データに対してエフェクト処理を行ってエフェクト画像データを生成してもよい。なお、補助効果画像処理部１２３の処理内容については後述する。
【００３３】
ＡＥ処理部１３は、バス２４を介してＳＤＲＡＭ２０に記録された画像データを取得し、取得した画像データに基づいて、静止画撮影または動画撮影を行う際の露出条件を設定する。具体的には、ＡＥ処理部１３は、画像データから輝度を算出し、算出した輝度に基づいて、たとえば絞り値（Ｆ値）の設定値、シャッタ速度等を決定することで撮像装置１の自動露出を行う。
【００３４】
ＡＦ処理部１４は、バス２４を介してＳＤＲＡＭ２０に記録された画像データを取得し、取得した画像データに基づいて、撮像装置１の自動焦点の調整を行う。たとえば、ＡＦ処理部１４は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。
【００３５】
画像圧縮展開部１５は、バス２４を介してＳＤＲＡＭ２０から画像データを取得し、取得した画像データに対して所定の形式に従って圧縮し、この圧縮した画像データをＳＤＲＡＭ２０に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１５は、バス２４およびメモリＩ／Ｆ（図示せず）を介して記録媒体１９に記録された画像データ（圧縮画像データ）を取得し、取得した画像データを展開（伸長）してＳＤＲＡＭ２０に出力する。なお、記録媒体１９の代わりに撮像装置１の内部に別途記録部を設けてもよい。
【００３６】
入力部１６は、撮像装置１の電源状態をオン状態またはオフ状態に切り換える電源スイッチ１６１と、静止画撮影の指示を与える静止画レリーズ信号の入力を受け付けるレリーズスイッチ１６２と、撮像装置１に設定された各種撮影モードを切り換える撮影モード切換スイッチ１６３と、動画撮影の指示を与える動画レリーズ信号の入力を受け付ける動画スイッチ１６４と、を有する。レリーズスイッチ１６２は、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。
【００３７】
表示部１７は、液晶または有機ＥＬ（Electro  Luminescence）等からなる表示パネルを用いて構成される。表示駆動部１８は、バス２４を介してＳＤＲＡＭ２０が記録する画像データまたは記録媒体１９が記録する画像データを取得し、取得した画像データに対応する画像を表示部１７に表示させる。ここで、画像の表示には、撮影直後の画像データを所定時間（たとえば３秒）だけ表示するレックビュー表示、記録媒体１９に記録された画像データを再生する再生表示、および撮像素子８が連続的に生成する画像データに対応するライブビュー画像を時系列に沿って順次表示するライブビュー画像表示等が含まれる。また、表示部１７は、撮像装置１の操作情報および撮影に関する情報を適宜表示する。
【００３８】
記録媒体１９は、撮像装置１の外部から装着されるメモリカード等を用いて構成される。記録媒体１９は、メモリＩ／Ｆ（図示せず）を介して撮像装置１に着脱自在に装着される。記録媒体１９には、その種類に応じた図示しない読み書き装置によって画像処理部１２や画像圧縮展開部１５が処理を施した画像データが書き込まれ、または読み書き装置によって記録媒体１９に記録された画像データが読み出される。また、記録媒体１９は、制御部２５の制御のもと、メモリＩ／Ｆおよびバス２４を介して撮像プログラムおよび各種情報それぞれをＦｌａｓｈメモリ２２に出力してもよい。
【００３９】
ＳＤＲＡＭ２０は、揮発性メモリを用いて構成される。ＳＤＲＡＭ２０は、バス２４を介してＡ／Ｄ変換部１１から入力される画像データ、画像処理部１２から入力される処理画像データおよび撮像装置１の処理中の情報を一時的に記憶する一次記憶部としての機能を有する。たとえば、ＳＤＲＡＭ２０は、信号処理部１０、Ａ／Ｄ変換部１１およびバス２４を介して、撮像素子８が１フレーム毎に順次出力する画像データを一時的に記憶する。
【００４０】
時計２１は、計時機能および撮影日時の判定機能を有する。時計２１は、画像データに日付データを付加するため、制御部２５に日付データを送信する。この日付データには、日付および時間が含まれる。
【００４１】
Ｆｌａｓｈメモリ２２は、不揮発性メモリを用いて構成される。Ｆｌａｓｈメモリ２２は、プログラム記録部２２１と、特殊効果処理情報記録部２２２と、補助効果処理情報記録部２２３と、を有する。プログラム記録部２２１は、撮像装置１を動作させるための各種プログラム、撮像プログラムおよびプログラムの実行中に使用される各種データおよび画像処理部１２による画像処理の動作に必要な各種パラメータ等を記録する。また、プログラム記録部２２１は、撮像装置１を特定するための製造番号や光学系２のレンズ特性（たとえば色収差）等を記録する。
【００４２】
ここで、特殊効果処理情報記録部２２２が記録する特殊効果処理に関する情報および補助効果処理情報記録部２２３が記録する補助効果処理情報について説明する。図３は、特殊効果処理情報記録部２２２が記憶する特殊効果処理に関する情報としての特殊効果処理情報テーブルの一例を示す図である。
【００４３】
図３に示すように、特殊効果処理情報テーブルＴ１には、画像処理部１２が画像データに対して実行することが可能な特殊効果処理が記載されている。具体的には、特殊効果処理が「Ａｒｔ１」の「ファンタジックフォーカス」の場合、処理内容として「トーンカーブ処理」、「ぼかし処理」および「合成処理」が記載されている。ここで、合成処理とは、特殊効果画像処理部１２２がトーンカーブ処理を行った画像データと、ぼかし処理を行った画像データとを合成して新たな画像データを生成する画像処理である。
【００４４】
さらに、特殊効果処理が「Ａｒｔ４」の「ジオラマ」の場合、処理内容として「色相・彩度処理」、「コントラスト処理」、「３回ぼかし処理」および「３回合成処理」が記載されている。ここで、３回ぼかし処理とは、特殊効果画像処理部１２２が色彩・彩度処理後、コントラスト処理を行った画像データに対してぼかし処理を３回行う処理である。また、３回合成処理とは、特殊効果画像処理部１２２がぼかし処理を行うごとに、ぼかし処理前の画像データと、ぼかし処理後の画像データとを合成して新たな画像データを生成する画像処理である。
【００４５】
図４は、補助効果処理情報記録部２２３が記憶する補助効果処理に関する情報としての補助効果処理情報テーブルの一例を示す図である。
【００４６】
図４に示すように、補助効果処理情報テーブルＴ２には、特殊効果処理に追加可能な補助効果処理が記載されている。さらに、補助効果処理情報テーブルＴ２には、補助効果処理の処理内容が記載されている。具体的には、補助効果処理が「Ｅｆｆｅｃｔ５」の「ホワイトアウト効果」の場合、処理内容として「ホワイトアウト処理」が記載されている。さらに、補助効果処理が「Ｅｆｆｅｃｔ３」の「スターライト効果」の場合、処理内容として「輝点検出処理」および「光描画処理」が記載されている。なお、補助効果処理の処理内容の「光描画処理」は、画像データに含まれるレベル（閾値）より高い輝点のみを間引いて描画し、レベルの低い輝点は描画を行わない。
【００４７】
図２に戻り、説明を撮像装置１の構成の説明を続ける。アクチュエータ駆動制御部２３は、操作リング２３１と、アクチュエータ２３２と、アクチュエータ駆動部２３３と、位置検出部２３４と、回転位置検出部２３５と、を有する。
【００４８】
操作リング２３１は、図１に示すように、撮像装置１のレンズ鏡筒１００の外周部に設けられる。操作リング２３１は、光学系２の光軸Ｏを中心に回転自在である。また、操作リング２３１は、光軸Ｏに沿う方向の所定範囲内で進退可能である。操作リング２３１は、撮像装置１がマニュアルフォーカス撮像モード（以下、「ＭＦ撮影モード」という）に設定されている場合、撮像装置１におけるピント位置を変更する。また、操作リング２３１は、撮像装置１が動画撮影モードまたは特殊効果処理モード（以下、「アート撮影モード」という）に設定されている場合、アート効果処理の内容またはエフェクト処理の内容を切り換える。具体的には、操作リング２３１は、レンズ鏡筒１００の前方側に位置している場合、アート効果処理の内容を切り換え、レンズ鏡筒１００の後方側に位置している場合、エフェクト処理の内容を切り換える。たとえば、操作リング２３１は、レンズ鏡筒１００の前方側に位置している場合、アート効果処理をファンタジックフォーカスからトイフォトに切り換える。
【００４９】
アクチュエータ２３２は、レンズ鏡筒１００に設けられ、レンズ鏡筒１００の所定の径方向に沿って進退可能であり、少なくともレンズ鏡筒１００の径方向に操作リング２３１の内周のうち溝部以外の内周が位置しているとき、操作リング２３１の内周を押圧する。具体的には、アクチュエータ２３２は、操作リング２３１が回転する際に摩擦力を生じさせるように、操作リング２３１の内周側から径方向に押圧する。アクチュエータ駆動部２３３は、制御部２５の制御のもと、アクチュエータ２３２を駆動する。なお、アクチュエータ２３２およびアクチュエータ駆動部２３３が本実施の形態１にかかる押圧部として機能する。なお、アクチュエータ２３２の詳細な構成について後述する。
【００５０】
位置検出部２３４は、フォトインタラプタや導通センサ等を用いて構成され、操作リング２３１のＺ軸方向における位置を検出する。具体的には、位置検出部２３４は、操作リング２３１のＺ軸方向における位置を検出し、検出結果を制御部２５に出力する。
【００５１】
回転位置検出部２３５は、エンコーダおよびフォトインタラプタを用いて構成され、操作リング２３１の光軸Ｏ周りの回転方向および回転量を検出する。具体的には、回転位置検出部２３５は、操作リング２３１に周方向に所定の間隔で設けられた複数の遮光片の通過をフォトインタラプタで検出し、このフォトインタラプタの出力信号に基づいて、操作リング２３１の回転方向および回転量を検出する。なお、回転位置検出部２３５は、ポテンショメータを用いて構成してもよい。また、回転位置検出部２３５は、２つのエンコーダを用いて操作リング２３１の回転方向と回転量とをそれぞれ検出してもよい。
【００５２】
バス２４は、撮像装置１の各構成部位を接続する伝送路等を用いて構成される。バス２４は、撮像装置１の内部で発生した各種データを撮像装置１の各構成部位に転送する。
【００５３】
制御部２５は、ＣＰＵ（Central  Processing  Unit）等を用いて構成される。制御部２５は、バス２４を介して入力部１６から送信される指示信号に応じて、撮像装置１を構成する各部に対して各種データの送信を行うことにより、撮像装置１の動作を統括的に制御する。
【００５４】
制御部２５は、レリーズスイッチ１６２を介してセカンドレリーズ信号が入力された場合、撮像装置１における静止画撮影動作を開始する制御を行う。また、制御部２５は、動画スイッチ１６４を介して動画撮影レリーズ信号が入力された場合、撮像装置１における動画撮影動作を開始する制御を行う。ここで、撮像装置１における撮影動作とは、シャッタ駆動部７および撮像素子駆動部９の駆動によって撮像素子８が出力した画像データに対し、信号処理部１０、Ａ／Ｄ変換部１１および画像処理部１２が所定の処理を施す動作をいう。このように処理が施された画像データは、制御部２５の制御のもと、画像圧縮展開部１５で所定の形式にしたがって圧縮され、バス２４およびメモリＩ／Ｆを介して記録媒体１９に記録される。なお、本実施の形態１では記録媒体１９が記憶部の一部をなしているが、記録媒体１９とは別に撮像装置１の内部に記録部の機能を有する記憶領域を確保し、この記憶領域に圧縮した画像データを記憶するようにしてもよい。
【００５５】
制御部２５の詳細な構成について説明する。制御部２５は、動画撮影判定部２５１と、アクチュエータ制御部２５２と、画像処理制御部２５３と、表示制御部２５４と、を有する。
【００５６】
動画撮影判定部２５１は、撮像装置１が動画撮影を行っているか否かを判定する。具体的には、動画撮影判定部２５１は、動画スイッチ１６４が操作されることにより、動画撮影を示すフラグがＳＤＲＡＭ２０に立っているか否かを判定することにより、撮像装置１が動画撮影中であるか否かを判定する。
【００５７】
アクチュエータ制御部２５２は、動画撮影判定部２５１によって撮像装置１が動画撮影を行っていると判定した場合、アクチュエータ駆動部２３３の駆動を制御することにより、レンズ鏡筒１００の径方向に溝部が位置しているときのアクチュエータ２３２の先端位置を、撮像装置１が静止画撮影を行っているときの先端位置より退避させる。具体的には、アクチュエータ制御部２５２は、アクチュエータ２３２が操作リング２３１に押圧する押圧力を低下させる。なお、アクチュエータ制御部２５２が本実施の形態１にかかる押圧制御部として機能する。
【００５８】
画像処理制御部２５３は、撮像装置１が動画撮影を行っている際に、操作リング２３１の位置、回転方向および回転量に基づいて、画像処理部１２が実行する画像処理の内容を設定する。たとえば、画像処理制御部２５３は、撮像装置１が動画撮影を行っている場合、ユーザによって操作リング２３１が光軸Ｏ周りに回転した場合、特殊効果画像処理部１２２が実行するアート効果処理をソフトフォーカス処理からトイフォト処理に変更して設定する。
【００５９】
表示制御部２５４は、表示部１７の表示態様を制御する。具体的には、表示制御部２５４は、撮像装置１が動画撮影を行っている場合において、撮像装置１がアート撮影モードであるとき、アート効果処理またはエフェクト効果処理に関するアイコンをライブビュー画像と合わせて表示部１７に表示させる。
【００６０】
以上の構成を有する撮像装置１に対して、電子ビューファインダ（ＥＶＦ）、音声入出部、被写体に対して補助光（フラッシュ）を発光する補助光発光部、インターネットを介して外部の装置と双方向に通信を行う機能を有する通信部等をさらに設けてもよい。
【００６１】
ここで、上述した光学系２を含む撮像装置１に組み込まれるレンズ鏡筒１００について詳細に説明する。図５は、レンズ鏡筒１００の沈胴状態における要部の構成を示す断面図である。図６は、レンズ鏡筒１００の伸長状態における要部の構成を示す断面図である。
なお、図５および図６において、左側が前方側であり、右側が後方側である。
【００６２】
図５および図６に示すように、レンズ鏡筒１００は、撮像素子８を保持するセンサユニット１０１のベース部材に固定される固定枠１０２と、固定枠１０２に支持されてズーミング動作時および沈胴動作時に回転駆動されるとともに、光軸Ｏに沿う方向に進退駆動されるカム枠１０３と、回転規制状態でカム枠１０３とともに、光軸Ｏに沿う方向に進退するフロートキー１０４と、回転規制状態でカム枠１０３とともに、光学Ｏに沿う方向に進退するガイド枠１０５と、回転規制状態でカム枠１０３の回転により光軸Ｏに沿う方向に進退する光学系２の第１群レンズＧ１を保持する１群枠１０６と、回転規制状態でカム枠１０３の回転により光軸Ｏに沿う方向に進退する第２群レンズＧ２を保持する２群枠１０７と、回転規制状態でカム枠１０３の回転により光軸Ｏに沿う方向に進退する第３群レンズＧ３を保持する３群枠１０８と、シャッタ６を保持するシャッタ枠１０９と、シャッタ枠１０９を支持するとともに、３群枠１０８を保持する３群ユニット１１０と、固定枠１０２に光軸Ｏに沿う方向に進退可能に結合された第４群レンズ（フォーカシングレンズ）Ｇ４を保持する４群枠１１１と、撮像素子８を保持するセンサユニット枠１１２と、固定枠１０２に対して回転可能な操作リング２３１と、を有する。なお、第１群レンズＧ１、第２群レンズＧ２、第３群レンズＧ３および第４群レンズＧ４は、光学系２を構成する。
【００６３】
固定枠１０２は、円筒状をなす。固定枠１０２は、外周部に光学系２のズーミング動作を行うためのズーム駆動ユニット（図示せず）が設けられている。また、固定枠１０２は、内周部に光学系２のフォーカシング動作を行うためのフォーカス駆動ユニット１０２ａが配設されている。ズーム駆動ユニットは、光学系２のうちズーミング動作に寄与するズーム光学系（第１群レンズＧ１、第２群レンズＧ２および第３群レンズＧ３）を光軸Ｏに沿う方向に駆動するズーミング動作を行うとともに、レンズ鏡筒１００を撮影可能な状態から沈胴状態へ駆動させる沈胴動作を行う。また、フォーカス駆動ユニット３ａは、光学系２のうちフォーカシング動作に寄与するフォーカシング光学系（第４群レンズＧ４）を光軸Ｏに沿う方向に駆動するフォーカシング動作を行う。
【００６４】
カム枠１０３は、円筒状をなす。カム枠１０３は、固定枠１０２の内周部に回動および進退自在な状態で嵌入している。カム枠１０３は、ズーム駆動ユニットによって回転しながら沈胴状態にある位置（後方移動端：図５を参照）から撮影可能状態における短焦点位置であるワイド端（前方移動端：図６を参照）にまで前方に繰り出される。カム枠１０３は、レンズ鏡筒１００が撮影可能な状態にある場合において、短焦点位置であるワイド端から長焦点位置であるテレ端までの間におけるズーミング動作中のとき、光軸Ｏに沿う方向に進退することなく、前方移動端において回転方向にのみ駆動される。
【００６５】
フロートキー１０４は、円筒状をなす。フロートキー１０４は、カム枠１０３の内周部において相対的に回転自在に嵌入している。フロートキー１０４は、固定枠１０２によって回転規制された状態で、カム枠１０３とともに光軸Ｏに沿う方向へ進退可能に移動する。また、フロートキー１０４は、内周部で２群枠１０７および３群ユニット１１０を進退可能に支持するとともに、２群枠１０７および３群ユニット１１０の回転を規制している。
【００６６】
ガイド枠１０５は、円筒状をなす。ガイド枠１０５は、後端内周部にカム枠１０３の結合溝（図示せず）に嵌入するバヨネット突起（図示せず）を有する。ガイド枠１０５は、内周部に光軸Ｏに沿う方向に１群枠１０６を進退可能に支持するとともに、１群枠１０６の回転を規制している。また、ガイド枠１０５は、固定枠１０２の内周部に嵌入した状態で、カム枠１０３とバヨネット結合されて配置される。ガイド枠１０５は、フロートキー１０４と同様に、固定枠１０２に対して回転が規制された状態された状態で、光軸Ｏに沿う方向にカム枠１０３と一体に進退可能に移動する。
【００６７】
図５または図６に示すように、１群枠１０６は、円筒状をなす。１群枠１０６は、カム枠１０３とガイド枠１０５との間に嵌入された状態で配置される。１群枠１０６は、１群レンズＧ１を保持する。１群枠１０６は、ガイド枠１０５により回転規制された状態で、カム枠１０３の回転によって進退駆動される。
【００６８】
２群枠１０７は、円筒状をなす。２群枠１０７は、フロートキー１０４の内周部に嵌入された状態で配置されている。２群枠１０７は、内周部の略中央部で２群レンズＧ２を保持する。２群枠１０７は、フロートキー１０４により回転が規制された状態で、カム枠１０３の回転によって光軸Ｏに沿う方向に進退駆動される。２群枠１０７は、カム枠１０３が後方移動端に位置する場合、シャッタ枠１０９の内周側に嵌入する。
【００６９】
３群枠１０８は、円筒状をなす。３群枠１０８は、３群レンズＧ３を保持する保持枠１０８ａを有し、保持枠１０８ａがシャッタ枠１０９内に嵌入した状態で、シャッタ枠１０９に固定されている。３群枠１０８は、フロートキー１０４の内部に嵌入した状態で配置される。３群枠１０８は、フロートキー１０４により回転規制された状態で、カム枠１０３によって進退駆動される。
【００７０】
シャッタ枠１０９は、円筒状をなす。シャッタ枠１０９は、シャッタ６のシャッタ羽根およびこのシャッタ羽根を回転駆動させるアクチュエータ等のシャッタ駆動部７等を保持する。
【００７１】
３群ユニット１１０は、３群枠１０８と、３群枠１０８の前方側でシャッタ枠１０９を保持する。３群ユニット１１０と２群枠１０７との間には、コイルバネ１１３が配設されている。これにより、２群枠１０７および３群ユニット１１０は、互いに離間する方向に付勢されている。
【００７２】
４群枠１１１は、円筒状をなす。４群枠１１１は、４群レンズＧ４を保持する。４群枠１１１は、フォーカス駆動ユニット３ａにより、固定枠１０２の内部で光軸Ｏに沿う方向に進退可能に支持される。これにより、４群枠１１１は、レンズ鏡筒１００が撮影可能な状態にある場合、適切なフォーカシング位置に調整される一方、レンズ鏡筒１００が沈胴動作時に所定の沈胴位置に位置決めされて配置される。
【００７３】
アクチュエータ駆動制御部２３は、固定枠１０２に対して操作リング２３１が回転自在に嵌入され、ユーザがレンズ鏡筒１００を中心に回転させる。
【００７４】
ここで、アクチュエータ駆動制御部２３の構成について詳細に説明する。図７は、図５に示すアクチュエータ駆動制御部２３の要部の構成を拡大した断面図である。図８は、図５に示すアクチュエータ駆動制御部２３が光軸Ｏに沿う方向に移動した状態でアクチュエータ駆動制御部２３の要部の構成を拡大した断面図である。図９は、光軸Ｏ方向から見た際のアクチュエータ駆動制御部２３の要部の断面図である。図１０は、光軸Ｏ方向から見た際のアクチュエータ駆動制御部２３の要部の別の断面図である。図１１は、アクチュエータ駆動制御部２３の要部を拡大した断面図である。図１２は、アクチュエータ駆動制御部２３の変化を模式的に示す断面図である。
【００７５】
図７〜図１２に示すように、アクチュエータ駆動制御部２３は、固定枠１０２に嵌入される操作枠２３６と、操作枠２３６に対して回転可能な操作リング２３１と、操作リング２３１の内周側から径方向（外側）に向けて付勢するアクチュエータ２３２と、アクチュエータ駆動部２３３（図示せず）と、操作リング２３１の位置を検出する位置検出部２３４と、回転位置検出部２３５（図示せず）と、を有する。
【００７６】
操作リング２３１は、リング状（円環状）をなし、操作枠２３６に対して回転自在に嵌入してレンズ鏡筒１００（図１を参照）の外周部に設けられる。操作リング２３１は、撮像装置１の筐体１ａに保持されることにより、光軸Ｏに沿う方向に進退可能である。操作リング２３１は、前方から内周部に光軸Ｏに沿って伸びる凹部２３１ａと、光軸Ｏに沿って伸びる溝部２３１ｂと、を有する。凹部２３１ａは、操作リング２３１の周方向に沿って等間隔で複数設けられ、断面が略Ｃ字状をなす（図１０を参照）。溝部２３１ｂは、操作リング２３１の周方向に沿って設けられ、断面が略三角形をなす。また、凹部２３１ａは、溝部２３１ｂよりボール２３２ａを保持する保持力が高くなるように溝が深く形成される。
【００７７】
アクチュエータ２３２は、操作枠２３６の内部に設けられる。アクチュエータ２３２は、凹部２３１ａまたは溝部２３１ｂに進退可能な非磁性または磁性材料からなる外形が円、楕円形状の接触子（以下、ボール２３２ａという）と、ボール２３２ａを支持する支持部材２３２ｂと、支持部材２３２ｂを介してボール２３２ａを操作リング２３１の内周のうち凹部２３１ａまたは溝部２３１ｂ以外の内周が位置しているとき、操作リング２３１の内周を押圧する可動部材に搭載されたボール２３２ａと、操作リング２３１の内周を可動部に搭載されたボール２３２ａで押圧（付勢）するアクチュエータとしての圧電素子２３２ｃと、圧電素子２３２ｃに駆動電圧を供給するアクチュエータ駆動部２３３としてのＦＰＣ２３２ｄと、円筒状をなし、圧電素子２３２ｃを保持する保持枠２３２ｅと、圧電素子２３２ｃを保持枠２３２ｅに接着する接触部材２３２ｆと、ボール２３２ａを操作リング２３１に向けて付勢する押圧バネ２３２ｇと、ビス２３６ａによって操作枠２３６に固定され、圧電素子２３２ｃ、保持枠２３２ｅおよび押圧バネ２３２ｇを支持する板バネ２３２ｈと、を有する。
【００７８】
このように構成されたアクチュエータ２３２は、ＦＰＣ２３２ｄを介して圧電素子２３２ｃに電圧が印加されることにより、ボール２３２ａが操作リング２３１を押圧する。具体的には、図１２に示すように、ＦＰＣ２３２ｄを介して圧電素子２３２ｃに電圧が印加された場合、圧電素子２３２ｃが操作リング２３１の内周側から径方向に伸長することにより、ボール２３２ａが操作リング２３１の溝部２３１ｂを押圧する（矢印下に示す図１２（ｂ）→矢印上に示す図１２（ａ）に移動）。これにより、ユーザが操作リング２３１を回転させる場合、ボール２３２ａと溝部２３１ｂが接触することにより、クリック音が生じるとともに、ユーザが操作リング２３１の回転方向および回転量を把握することができる。
【００７９】
これに対して、アクチュエータ２３２は、ＦＰＣ２３２ｄによる電圧の印加を停止した場合、圧電素子２３２ｃが操作リング２３１の中心側に向けて伸縮することにより、押圧バネ２３２ｇの押圧力に反して、ボール２３２ａが中心側に移動し、溝部２３１ｂから離間する（矢印上図１２（ａ）→矢印下図１２（ｂ）に移動）。これにより、ユーザが操作リング２３１を回転させた場合であっても、ボール２３１ｂと溝部２３１ｂがほぼ接触することないので、クリック音が生じることを防止することができる。
【００８０】
なお、他の実施例として、押圧バネ２３２ｇにより、ボール２３２ａを操作リング２３１の内周のうち、凹部２３１aまたは溝部２３１ｂ以外の内周が位置しているとき、に押圧力を与える。このような状態から圧電素子（電界方向に対して分極方向が向き合う構造）２３２ｃに印加電圧を与えたとき、伸縮する部品（圧電素子）を用いると、押圧バネ２３２ｇに押圧力に反して、操作リング２３１の溝部２３１ｂから離間してもよい。このようにすると圧電素子２３２ｃの印加する使用時間が少なくなり消費電力が低減できる。
【００８１】
位置検出部２３４は、光軸Ｏに沿う方向における操作リング２３１の位置を検出し、検出結果を制御部２５に出力する。位置検出部２３４は、操作リング２３１の後方に設けられた接触部材２３４ａと、接触部材２３４ａと導通する導通部材２３４ｂと、を有する。位置検出部２３４は、光軸Ｏ方向における進退動作により、接触部材２３４ａが導通部材２３４ｂと接触して導通することにより、アクチュエータ２３２のボール２３２ａが凹部２３１ａに嵌合していることを検出する。
【００８２】
このように、アクチュエータ駆動制御部２３は、ユーザによって回転されることにより、アクチュエータ２３２のボール２３２ａが操作リング２３１の凹部２３１ａまたは溝部２３１ｂを移動する。たとえば、アクチュエータ駆動制御部２３は、ボール２３２ａが凹部２３１ａに位置している場合において、ユーザによって操作リング２３１が回転したとき、ボール２３２ａが隣接する凹部２３１ａに移動する。また、アクチュエータ駆動制御部２３は、ボール２３２ａが溝部２３１ｂに位置している場合において、ユーザによって操作リング２３１が光軸Ｏに沿う方向の前方に移動したとき、ボール２３２ａが溝部２３１ｂから凹部２３１ａに移動する。これにより、ユーザは、アクチュエータ駆動制御部２３の操作リング２３１を回転または光軸Ｏ方向に前後方向に移動させることにより、撮像装置１の各種設定を切り換える。なお、凹部２３１ａは、溝部２３１ｂに比して隣接する別の凹部２３１ａに移動する際の摩擦力が大きくなるように形成されている。
【００８３】
以上の構成を有する撮像装置１が行う処理について説明する。図１３Ａおよび図１３Ｂは、撮像装置１が行う処理の概要を示すフローチャートである。
【００８４】
図１３Ａおよび図１３Ｂにおいて、まず、撮像装置１が動画撮影モードに設定されている場合（ステップＳ１０１：Ｙｅｓ）について説明する。この場合、位置検出部２３４は、光軸Ｏ方向における操作リング２３１の位置を検出する（ステップＳ１０２）。
【００８５】
続いて、制御部２５は、操作リング２３１が前方側に位置しているか否かを判断する（ステップＳ１０３）。操作リング２３１が前方側に位置していると制御部２５が判断した場合（ステップＳ１０３：Ｙｅｓ）、撮像装置１は、後述するステップＳ１０４へ移行する。一方、操作リング２３１が前方側に位置していないと制御部２５が判断した場合（ステップＳ１０３：Ｎｏ）、撮像装置１は、後述するステップＳ１１９へ移行する。
【００８６】
ステップＳ１０４において、回転位置検出部２３５は、操作リング２３１の回転位置を検出する。
【００８７】
続いて、画像処理制御部２５３は、回転位置検出部２３５が検出した操作リング２３１の回転位置に応じた特殊効果処理を特殊効果画像処理部１２２に設定する（ステップＳ１０５）。なお、画像処理制御部２５３は、電源スイッチ１６１が操作されて、撮像装置１の電源がオン状態になった直後においては、特殊効果処理を特殊効果画像処理部１２２に設定しなくてもよい。すなわち、画像処理制御部２５３は、画像データに対して、基本画像処理部１２１にのみ画像処理を実行させる。
【００８８】
その後、表示制御部２５４は、撮像素子８が生成した画像データに対して、特殊効果画像処理部１２２が特殊効果処理を施したライブビュー画像を表示部１７に表示させ（ステップＳ１０６）、ライブビュー画像上に特殊効果アイコンを表示部１７に表示させる（ステップＳ１０７）。具体的には、図１４に示すように、表示制御部２５４は、特殊効果画像処理部１２２が特殊効果処理を施したライブビュー画像Ｗ１を表示部１７に表示させるとともに、特殊効果処理に関する特殊効果アイコンＡ１〜Ａ５を表示させる。この際、表示制御部２５４は、現在、設定されている特殊効果処理、たとえば特殊効果アイコンＡ１をハイライト表示させる。なお、図１４において、特殊効果処理の効果を斜線で表現した。ステップＳ１０７の撮像装置１は、図１３ＢのステップＳ１０８へ移行する。
【００８９】
続いて、動画スイッチ１６４が操作された場合（ステップＳ１０８：Ｙｅｓ）、動画撮影判定部２５１は、撮像装置１が動画撮影中であるか否かを判定する（ステップＳ１０９）。具体的には、動画撮影判定部２５１は、ＳＤＲＡＭ２０に撮像装置１が動画撮影中を示す動画撮影中フラグがオン状態であるか否かを判定する。撮像装置１が動画撮影中でないと動画撮影判定部２５１が判定した場合（ステップＳ１０９：Ｎｏ）、撮像装置１は、後述するステップＳ１１０へ移行する。一方、撮像装置１が動画撮影中であると動画撮影判定部２５１が判定した場合（ステップＳ１０９：Ｙｅｓ）、撮像装置１は、後述するステップＳ１２３へ移行する。
【００９０】
ステップＳ１１０において、アクチュエータ制御部２５２は、バス２４を介してアクチュエータ駆動部２３３に駆動信号を出力することにより、アクチュエータ２３２を駆動させる。これにより、操作リング２３１に対して、アクチュエータ２３２の押圧力が低下する。この結果、ユーザが操作リング２３１を回転または前後に操作する場合、クリック音（カチカチ音）が生じることを防止することができる。
【００９１】
続いて、制御部２５は、撮像装置１の動画撮影を開始する（ステップＳ１１１）。具体的には、制御部２５は、記録媒体１９に画像データを時系列に沿って記録するための画像ファイルを生成して記録媒体１９に順次記録する。
【００９２】
その後、操作リング２３１が操作された場合（ステップＳ１１２：Ｙｅｓ）、位置検出部２３４は、光軸Ｏ方向における操作リング２３１の位置を検出する（ステップＳ１１３）。
【００９３】
続いて、制御部２５は、操作リング２３１が前方側に位置しているか否かを判断する（ステップＳ１１４）。操作リング２３１が前方側に位置していると制御部２５が判断した場合（ステップＳ１１４：Ｙｅｓ）、撮像装置１は、後述するステップＳ１１５へ移行する。一方、操作リング２３１が前方側に位置していないと制御部２５が判断した場合（ステップＳ１１４：Ｎｏ）、撮像装置１は、後述するステップＳ１２５へ移行する。
【００９４】
ステップＳ１１５において、回転位置検出部２３５は、操作リング２３１の回転位置を検出する。
【００９５】
続いて、画像処理制御部２５３は、回転位置検出部２３５が検出した操作リング２３１の回転位置および回転量に応じたアート効果処理を特殊効果画像処理部１２２に設定する（ステップＳ１１６）。この場合、画像処理制御部２５３は、ボール２３２ａが溝部２３１ｂを移動した数に応じて、特殊効果処理を変更して設定する。
【００９６】
その後、表示制御部２５４は、撮像素子８が生成した画像データに対して、特殊効果画像処理部１２２が特殊効果処理を施したライブビュー画像を表示部１７に表示させる（ステップＳ１１７）。この際、制御部２５は、撮像装置１が動画撮影中である場合、特殊効果画像処理部１２２がアート効果処理を施したアート効果処理画像データを記録媒体１９の動画ファイルに順次記録する。
【００９７】
続いて、電源スイッチ１６１が操作されて撮像装置１の電源がオフになった場合（ステップＳ１１８：Ｙｅｓ）、撮像装置１は、本処理を終了する。これに対して、撮像装置１の電源がオフになっていない場合（ステップＳ１１８：Ｎｏ）、撮像装置１は、図１３ＡのステップＳ１０１へ戻る。
【００９８】
つぎに、ステップＳ１０３において、操作リング２３１が前方側に位置していないと制御部２５が判断した場合（ステップＳ１０３：Ｎｏ）について説明する。この場合、回転位置検出部２３５は、操作リング２３１の回転位置を検出する（ステップＳ１１９）。
【００９９】
続いて、画像処理制御部２５３は、回転位置検出部２３５が検出した操作リング２３１の回転位置に応じたエフェクト処理を補助効果画像処理部１２３に設定する（ステップＳ１２０）。なお、画像処理制御部２５３は、電源スイッチ１６１が操作されて、撮像装置１の電源がオン状態になった直後において、エフェクト処理を補助効果画像処理部１２３に設定しなくてもよい。すなわち、画像処理制御部２５３は、画像データに対して、基本画像処理部１２１にのみ画像処理を実行させる。
【０１００】
その後、表示制御部２５４は、撮像素子８が生成した画像データに対して、補助効果画像処理部１２３がエフェクト処理を施したライブビュー画像を表示部１７に表示させ（ステップＳ１２１）。ライブビュー画像上に補助効果アイコンを表示部１７に表示させる（ステップＳ１２２）。具体的には、図１５に示すように、表示制御部２５４は、補助効果画像処理部１２３がエフェクト処理を施したライブビュー画像Ｗ２を表示部１７に表示させるとともに、エフェクト処理に関する補助効果アイコンＡ１１〜Ａ１５を表示部１７に表示させる。ステップＳ１２２の後、撮像装置１は、ステップＳ１０８へ移行する。なお、図１５においては、エフェクト効果を星で表現した。ステップＳ１２２の後、撮像装置１は、図１３ＢのステップＳ１０８へ移行する。
【０１０１】
ステップＳ１０８において、動画スイッチ１６４が操作されていない場合（ステップＳ１０８：Ｎｏ）、撮像装置１は、ステップＳ１１２へ移行する。
【０１０２】
ステップＳ１０９において、撮像装置１が動画撮影中である場合（ステップＳ１０９：Ｙｅｓ）について説明する。この場合、制御部２５は、撮像装置１の動画撮影を終了する（ステップＳ１２３）。
【０１０３】
続いて、アクチュエータ制御部２５２は、アクチュエータ駆動部２３３に駆動停止信号を出力することにより、アクチュエータ２３２の駆動を停止させる（ステップＳ１２４）。これにより、操作リング２３１に対して、アクチュエータ２３２が押圧する押圧力が大きくなる。この結果、ユーザが操作リング２３１を回転または前後に操作する場合、クリック音を生じさせることができるとともに、目標とする位置に対して余分に回転することを防止することができる。
【０１０４】
ステップＳ１１４において、操作リング２３１が前方側に位置していないと制御部２５が判断した場合（ステップＳ１１４：Ｎｏ）について説明する。この場合、回転位置検出部２３５は、操作リング２３１の回転位置を検出する（ステップＳ１２５）。
【０１０５】
続いて、画像処理制御部２５３は、回転位置検出部２３５が検出した操作リング２３１の回転位置に応じたエフェクト処理を補助効果画像処理部１２３に設定する（ステップＳ１２６）。
【０１０６】
その後、表示制御部２５４は、撮像素子８が生成した画像データに対して、補助効果画像処理部１２３がエフェクト処理を施したライブビュー画像を表示部１７に表示させる（ステップＳ１２７）。この際、制御部２５は、撮像装置１が動画撮影中である場合、補助効果画像処理部１２３がエフェクト処理を施したエフェクト処理画像データを記録媒体１９の動画ファイルに順次記録する。ステップＳ１２７の後、撮像装置１は、図１３ＢのステップＳ１１８へ移行する。
【０１０７】
つぎに、撮像装置１が動画撮影モードでなく（ステップＳ１０１：Ｎｏ）、静止画撮影モードが設定されている場合（ステップＳ１２８：Ｙｅｓ）について説明する。この場合、表示制御部２５４は、撮像素子８が生成した画像データに対応するライブビュー画像を表示部１７に表示させる（ステップＳ１２９）。
【０１０８】
続いて、レリーズスイッチ１６２が操作されてセカンドレリーズ信号が入力された場合（ステップＳ１３０：Ｙｅｓ）、撮像装置１は、制御部２５の制御のもと、撮影を行い（ステップＳ１３１）、画像データを記録媒体１９に記録する（ステップＳ１３２）。
【０１０９】
その後、表示制御部２５４は、撮影した画像データに対応する画像を所定時間（たとえば３秒）だけ表示部１７にレックビュー表示させる（ステップＳ１３３）。ステップＳ１３３の後、撮像装置１は、図１３ＢのステップＳ１１８へ移行する。
【０１１０】
ステップＳ１３０において、レリーズスイッチ１６２を介してセカンドレリーズ信号が入力されていない場合（ステップＳ１３０：Ｎｏ）、撮像装置１は、図１３ＢのステップＳ１１８へ移行する。
【０１１１】
つぎに、撮像装置１が動画撮影モード（ステップＳ１０１：Ｎｏ）および静止画撮影モードでなく（ステップＳ１２８：Ｎｏ）、再生モードが設定されている場合（ステップＳ１３４：Ｙｅｓ）について説明する。この場合、撮像装置１は、記録媒体１９に記録された画像データを表示部１７に表示し、入力部１６から入力される画像切換えを指示する指示信号に応じて再生する画像を切換えながら終了指示が入力されるまで表示を行う再生表示処理を実行する（ステップＳ１３５）。その後、撮像装置１は、図１３ＢのステップＳ１１８へ移行する。
【０１１２】
ステップＳ１３４において、撮像装置１が再生モードに設定されていない場合（ステップＳ１３４：Ｎｏ）、撮像装置１は、図１３ＢのステップＳ１１８へ移行する。
【０１１３】
以上説明した本発明の実施の形態１によれば、アクチュエータ制御部２５２が動画撮影判定部２５１によって撮像装置１が動作撮影を行っていると判定した場合、アクチュエータ２３２が操作リング２３１を径方向の凹部２３１ａまたは溝部２３１ｂが位置しているとのアクチュエータ２３２の先端位置を、撮像装置１が静止画撮影を行っているときの先端位置より退避される。この結果、撮像装置１が動画撮影を行っている場合、ユーザが操作リング２３１を光軸Ｏ周りに回転または光軸Ｏ方向に前後させても、クリック音を生じさせることなく、滑らかにアート効果処理またはエフェクト処理を切り換えることができる。
【０１１４】
（実施の形態１の変形例１）
なお、上述した実施の形態では、アクチュエータとして圧電素子を用いていたが、可動コイル型の電磁型のリニアモータであるボイスコイルモータ（ＶＣＭ）であっても適用することができる。図１６は、本実施の形態１の変形例１にかかるレンズ鏡筒の沈胴状態における要部の構成を示す断面図である。図１７は、図１６のアクチュエータ駆動制御部３０の一部をなすアクチュエータの要部を拡大して模式的に示す図である。なお、以下においては、同一の部分には同一の符号を付して説明する。
【０１１５】
図１６および図１７に示すように、アクチュエータ駆動制御部３０は、操作枠２３６の内部に設けられる。アクチュエータ駆動制御部３０は、凹部２３１ａまたは溝部２３１ｂに接触する接触子であるボール３１と、ボール３１を支持する支持部材３１ａと、支持部材３１ａを介してボール３１を支持する円筒状形状をしたジンバルバネの板バネ等の支持バネ３２と、円筒状をなし、ボール３１を操作リング２３１に向けて付勢する押圧バネ３３と、支持バネ３２を介してボール３１を操作リング２３１に向けて付勢するアクチュエータの可動部に搭載された円筒密着巻きまたは矩形密着巻きの空芯コイル形状の可動コイル３４と、円筒または矩形状した内ヨーク３５と、内ヨーク３５を基準に対向する位置に設けられた外ヨーク３６と、外ヨーク３６の内周側に接合された円筒形状（内ヨーク３５または外ヨーク３６が矩形形状の場合は、矩形形状の磁石片２個または４個の矩形状）の設けられた永久磁石３７と、可動コイル３４に駆動電圧を供給するＦＰＣ３８と、ビス２３６ａによって操作枠２３６に固定され、押圧バネ３３、可動コイル３４、内ヨーク３５、外ヨーク３６およびＦＰＣ３８を支持部材で支持する板バネ３９等、を有する。
【０１１６】
このように、アクチュエータ駆動制御部３０は、制御部２５の制御のもと、ＦＰＣ３８を介して駆動電圧が可動コイル３４に供給される。可動コイル３４は内ヨーク３５と外ヨーク３６が接合された厚さ方向に磁化された永久磁石３７との空間磁束内に位置するため、可動コイル３４に流す電流の向きにより可動コイル３４に搭載された支持部材３１ａ、ボール３１は操作リング２３１の内周のうち凹部２３１ａまたは溝部２３１ｂ以外の内周が位置から離間する。（図１７の矢印上から矢印下に変位する可動コイル３４に接合された支持バネ３２を介して支持部材３１ａに接合されたボール３１は支持バネ３２の付勢力に反して下降する。）この結果、ユーザが操作リング２３１を回転または前後に移動する場合に、抵抗力が小さくなり、クリック音を低減することができる。これに対して、アクチュエータ駆動制御部３０は、ＦＰＣ３８を介して駆動電圧が可動コイル３４に供給を中止した場合、ボール３１は支持バネ３２の付勢力により操作リング２３１の内周のうち凹部２３１ａまたは溝部２３１ｂ以外の内周が位置に接触して負勢する。この結果、ユーザが操作リング２３１を回転または前後に移動する場合に、抵抗力が大きくなる。なお、本実施の形態１の変形例１において、電磁型リニアモータにおいて可動コイル型リニアモータに変えて可動磁石型リニアモータを適用することも可能である。
【０１１７】
（実施の形態１の変形例２）
また、本実施の形態では、ポリマアクチュエータ（高分子アクチュエータともいう。例えば、導電性ゴム等の高分子素材から構成された２つの極性の異なる電極であるプラス電極、マイナス電極を有する電極部とから構成されている。）であっても適用することができる。図１８は、本実施の形態１の変形例２にかかるアクチュエータ駆動制御部の一部をなすポリマアクチュエータの要部を拡大して模式的に示す図である。図１９は、図１８のアクチュエータ駆動制御部の一部をなすポリマアクチュエータの要部の断面図である。
【０１１８】
図１８および図１９に示すように、アクチュエータ駆動制御部４０は、凹部２３１ａまたは溝部２３１ｂに接触する鋼球またはセラミック材料のボール４１と、円筒状をなし、ボール４１を操作リング２３１に向けて付勢する押圧バネ４２と、円柱状をなし、ボール４１を操作リング２３１に向けて付勢するポリマアクチュエータ４３と、ポリマアクチュエータ４３を駆動する駆動部４４と、駆動部４４に電圧を印加する印加電圧線４５と、ポリマアクチュエータ４３に対して印加電圧線４５から電圧を絶縁する絶縁シート４６と、押圧バネ４２、ポリマアクチュエータ４３、駆動部４４および絶縁シート４６を支持する板バネ４７と、を有する。さらに、駆動部４４の３点をボンディングワイヤ４８によりポリマアクチュエータ４３の姿勢を安定させる支持部４９を有する。また、印加電圧部４５は、一対の電極端子板４５ａおよび電極端子板４５ｂを用いて構成される。さらに、支持部４９は、操作枠２３６の内部にねじ等で位置を決めて固定する際の２つのねじ孔４９ａおよびねじ孔４９ｂがそれぞれ有する。さらにまた、印加電圧部４５は、アース４５ｃに接続される。
【０１１９】
このように、アクチュエータ駆動制御部４０は、ポリマアクチュエータ４３に電圧が印加されることにより、矢印（上下方向）に示す操作リング２３１にボール４１が付勢される。これにより、ユーザが操作リング２３１を回転または前後に移動させる場合、操作リング２３１に生じる抵抗力が大きくなる。これに対して、ポリマアクチュエータ４３に電圧の印加を停止した場合、操作リング２３１に対するボール４１の付勢が弱くなる。この結果、ユーザが操作リング２３１を回転または前後に移動させる場合、抵抗力が小さくなり、クリック音を低減することができる。
【０１２０】
（実施の形態１の変形例３）
また、本実施の形態１の変形例３において、構成を簡略することも可能である。図２０は、本実施の形態１の変形例３にかかるアクチュエータ駆動制御部の一部をなすアクチュエータの要部を拡大して模式的に示す断面図である。
【０１２１】
図２０に示すように、操作リング２３１側の凹部２３１ａまたは溝部２３１ｂに接触するボール５１と、接着剤５１ａによってボール５１を支持する支持部材５２と、支持部材５２を介してボール５１を操作リング２３１側に押圧するための撓み変位可能なジンバル形状（図１８に示す）したポリマアクチュエータ５３が接合されている。ポリマアクチュエータ５３は、カンザ５５（スペーサ）を介してジンバルバネ５６に接合されている。このポリマアクチュエータ５３およびジンバルバネ５６は、エッチング加工処理で行う。ポリマアクチュエータ５３の連結は、一方が可動部側５７ａを支持し、他方がジンバルバネ５６の上面に設けられたアクチュエータ支持部材５７ｂで支持する。固定部側が板バネ等の部品結合部材（例えば、ジンバルバネ５６などのリング状板バネ部材）に接合されたポリマアクチュエータ５３を支持するアクチュエータ支持部材５７には、一対の輪帯電極５４ａ、５４ｂが設けられている。ジンバルバネ５６は、ボール５１を操作リング側に押圧状態から、非接触状態の初期位置に戻す。具体的には、ポリマアクチュエータ５３に電力が供給されていないときの位置を保持することができる。
【０１２２】
なお、図示していないが、支持部材の側壁に矩形形状し、長手方向に磁化された永久磁石を接合し、操作枠２３６の内壁で、永久磁石に対向した位置にホール素子を配置することで、可動部材のボールが溝部や凹部に接触状態または非接触状態のそれぞれの位置が制御でき、操作リングをユーザによって操作されたとき、操作リング内の溝部と凹部間の移動時においてサーボ回路の安定性が得られる。
【０１２３】
また、本願発明においては、特殊効果のみ（補助効果は省略）でも行うことができる。一例では図８に示す操作リング２３１に凹部２３１ａを設け、溝部２３１ｂを省くこともできる。その結果、操作リング２３１が光軸Ｏ方向に移動することが省くことができ、アクチュエータ駆動制御部２３は被写体側に最も飛び出した側壁端までの光軸Ｏ方向の寸法が短縮でき、薄型化することができる。また、図１８，１９の実施例に変え、押圧バネ４２に変えて支持部材５２とすると動画撮影時に押圧バネ４２が外部振動により倒れや変位する。このような場合にはボール５１の押圧力の変化するのを防ぐことができる。
【０１２４】
特殊効果と補助効果の使用については、操作リング２３１の制御回路の詳細については記載していないが、操作リングの１周内に多数の凹部２３１ａを形成するとユーザが使いにくい。特殊効果が増加するに従い、溝部の数を増やすために操作リング２３１を変更するための製造工数に負担がかかる。また、特殊効果の種類は動画撮影時と静止画撮影時に使用可能な特殊効果が異なる等、仕様によりさまざまに変更としたい期待がある。たとえば、公知資料のように１クリックが１０°の場合はそれぞれを５°とした場合に３６個のクリックが必要となる。
【０１２５】
本願発明では、操作リング内に凹部２３１ａが半周で１８個が形成されている場合、特殊効果（６種類）＋補助効果（５種類）の合計１１種類であり、７個のクリックを使用しないように操作リング２３１の内側に形成された凹部２３１ａに押圧するボール２３２ａを退避させることも可能である。さらに、仕様の変更で特殊効果（１２種類）に増加（１８種類）したときの変更（例えば、絵画、夕焼け、紅葉、新緑、花火、居酒屋などの撮影モードなど）により特殊効果の追加を行う場合がある。
【０１２６】
このような場合に操作リング２３１の「回転範囲」を規制することが望ましい。また、操作リング２３１内に（２０個の凹部２３１ａ）のみ形成した場合に、半周内で特殊効果と補助効果の操作が分離できる。右半分の操作が特殊効果で左半分が補助効果を持つ複数溝の操作リング２３１の回転操作において使用しないクリックの飛び越し（例えば、特殊効果の「クリスタル」など動画時には使用しない）を行う等、操作リング内の凹部２３１ａとボールの接触を避ける「飛び越し」を可能とすることが望ましい。特開２０１０-３９３８５号公報の図７の位置信号を検出に用い、駆動回路のオン、オフ制御によりアクチュエータ（例えば、圧電素子）を駆動する。
【０１２７】
また、他の実施例において、特開２００８−２４９７８２号公報に開示されたカメラ本体に対して回転自在なレンズ鏡筒よカメラ本体に着脱可能なコンバータ鏡筒を構成し、レンズ鏡筒を回転させた位置に本願発明に用いたクイック機構（アクチュエータ）に使用することも可能である。
【０１２８】
（実施の形態２）
つぎに、本発明の実施の形態２について説明する。上述した実施の形態１では、レンズ部と本体部（ボディー）とが一体的に形成されたコンパクトデジタルカメラであったが、本発明の実施の形態２にかかる撮像装置は、本体部（ボディー）に対して着脱自在なレンズ装置を備えるデジタル一眼レフカメラである。すなわち、レンズ装置に操作リングを有するアクチュエータ駆動制御部が設けられる。このため、本体部およびレンズ装置の構成が異なる。また、本発明の実施の形態２にかかる撮像装置が実行する処理は、上述した実施の形態１と同様の処理を行う。このため、本発明の実施の形態２では、本体部およびレンズ装置の構成のみを説明する。なお、以下においては、同一の構成には同一の符号を付して説明する。
【０１２９】
図２１は、本実施の形態２にかかる撮像装置の被写体に面する側（前面側）の構成を示す斜視図である。図２２は、本実施の形態２にかかる撮像装置の構成を示すブロック図である。
【０１３０】
図２１および図２２に示すように、撮像装置２００は、画像データを生成する本体部６０と、本体部６０に対して着脱自在なレンズ装置７０と、を備える。
【０１３１】
本体部６０は、シャッタ６と、シャッタ駆動部７と、撮像素子８と、撮像素子駆動部９と、信号処理部１０と、Ａ／Ｄ変換部１１と、画像処理部１２と、ＡＥ処理部１３と、ＡＦ処理部１４と、画像圧縮展開部１５と、入力部１６と、表示部１７と、表示駆動部１８と、記録媒体１９と、ＳＤＲＡＭ２０と、時計２１と、Ｆｌａｓｈメモリ２２と、バス２４と、制御部２５と、本体通信部６１と、を備える。
【０１３２】
本体通信部６１は、本体部６０に装着されたレンズ装置７０との通信を行うためのインターフェースである。本体通信部６１は、バス２４を介して制御部２５から入力された指示信号や駆動信号をレンズ装置７０へ出力する。
【０１３３】
レンズ装置７０は、光学系７１と、レンズ駆動部７２と、絞り７３と、絞り駆動部７４と、レンズ通信部７５と、アクチュエータ駆動制御部７６と、レンズ制御部７７と、を備える。
【０１３４】
光学系７１は、一または複数のレンズを用いて構成される。光学系７１は、所定の視野領域から光を集光する。光学系７１は、焦点を変化させるフォーカス機能を有する。レンズ駆動部７２は、ＤＣモータまたはステッピングモータ等を用いて構成され、光学系７１のレンズを光軸Ｏ上で移動させることにより、光学系７１のピント位置や画角等の変更を行う。なお、光学系７１の詳細な構成については後述する。
【０１３５】
絞り７３は、光学系７１が集光した光の入射量を制限することにより露出の調整を行う。絞り駆動部７４は、ステッピングモータ等を用いて構成され、絞り７３を駆動する。
【０１３６】
レンズ通信部７５は、レンズ装置７０が本体部６０に装着されたときに、本体部６０の本体通信部６１と通信を行うための通信インターフェースである。
【０１３７】
アクチュエータ駆動制御部７６は、図２１に示すように、レンズ装置７０のレンズ鏡筒１００の周囲に設けられた操作リング７６１と、レンズ鏡筒１００の所定の径方向に沿って進退可能であり、少なくとも径方向に操作リング７６１の内周のうち溝部または凹部以外の内周が位置しているとき、この内周を押圧するアクチュエータ７６２と、アクチュエータ７６２を駆動するアクチュエータ駆動部７６３と、操作リング７６１の光軸Ｏに沿う方向における位置を検出する位置検出部７６４と、操作リング７６１の回転位置を検出する回転位置検出部７６５と、を有する。なお、アクチュエータ駆動制御部７６の詳細については後述する。
【０１３８】
レンズ制御部７７は、ＣＰＵ等を用いて構成され、本体通信部６１およびレンズ通信部７５を介して入力される制御部２５からの指示信号や駆動信号に応じてレンズ装置７０の動作を制御する。レンズ制御部７７は、本体通信部６１およびレンズ通信部７５を介して撮像素子８が画像データを生成するタイミングに同期または非同期で操作リング７６１の位置情報および回転位置情報を制御部２５に出力する。
【０１３９】
以上の構成を有する撮像装置２００に対して、電子ビューファインダ（ＥＶＦ）、音声入出力部、被写体に対して補助光（フラッシュ）を発光する補助光発光部、インターネットを介して外部の装置と双方向に通信を行う機能を有する通信部等をさらに設けてもよい。
【０１４０】
ここで、上述したレンズ装置７０について詳細に説明する。図２３は、操作リング７６１が第１の位置に配置された状態のレンズ装置７０の全体図である。図２４は、操作リング７６１が第２の位置に配置された状態のレンズ装置７０の全体図である。
【０１４１】
レンズ装置７０は、操作リング７６１と、基端部８１と、指標表示枠８２と、距離表示部８３と、を備える。操作リング７６１、基端部８１および指標表示枠８２は、レンズ装置７０のレンズ鏡筒１００の外周に露出して配置される。
【０１４２】
操作リング７６１は、ユーザによって光軸Ｏ周りに回転する。操作リング７６１は、図２３および図２４に示すように、光軸Ｏ方向に沿って所定の範囲内で移動可能である。また、操作リング７６１は、外部からの力が加えられていない状態では、移動範囲の両端のどちらか一方に選択的に位置する。なお、以下においては、操作リング７６１が選択的に位置する２つの位置のうち、光軸Ｏ方向の移動範囲の前方側の端部（図２３を参照）を第１の位置Ａとし、光軸Ｏ方向の移動範囲の後方側の端部（図２４を参照）を第２の位置Ｂとする。
【０１４３】
基端部８１は、図２３および図２４に示すように、本体部６０に係合するバヨネット爪８１ａを有する。基端部８１は、バヨネット爪８１ａが本体部６０に係合することにより、本体部６０に対して固定される。
【０１４４】
指標表示枠８２は、基端部８１に対して位置が固定され、レンズ装置７０の外装部材の一部をなす。指標表示枠８２は、操作リング７６１が第１の位置Ａに位置している場合において、操作リング７６１よりも前方側に配設されている。指標表示枠８２は、光軸Ｏと略平行な短い直線状の指標８２ａを有する。指標８２ａは、後述する距離表示部８３に設けられた距離目盛８３ａを指し示す。また、指標表示枠８２は、指標８２ａを挟んで略対称に周方向両側に、被写体深度指標８２ｂを有する。被写体深度指標８２ｂには、光学系７１の絞り値（Ｆ値）に対応した被写体深度が示されている。
【０１４５】
距離表示部８３は、図２４に示すように、操作リング７６１が第２の位置Ｂに位置している場合、レンズ装置７０のレンズ鏡筒から露出する。これに対して、距離表示部８３は、図２３に示すように、操作リング７６１が第１の位置Ａに位置している場合、操作リング７６１によって覆われレンズ装置７０のレンズ鏡筒の外周から隠れる。また、距離表示部８３は、操作リング７６１が第２の位置に位置している場合、レンズ装置７０のレンズ鏡筒から露出する距離目盛８３ａを有する。距離目盛８３ａには、光学系７１の最短合焦距離から無限遠までの距離を示す数値が示されている。さらに、距離表示部８３は、操作リング７６１が第２の位置Ｂに位置している場合、操作リング７６１とともに光軸Ｏ周りに回転する。
【０１４６】
このように、レンズ装置７０は、操作リング７６１が第２の位置Ｂに位置している場合、操作リング７６１の回転に伴って、距離表示部８３が指標表示枠８２に対して光軸Ｏ周りに回転する。これにより、距離目盛８３ａは、指標８２ａに対して光軸Ｏ周りに相対的に回転し、指標８２ａが指し示す数値が変化する。たとえば、図２４に示す状態において、指標８２ａと距離目盛８３ａとの組み合わせは、光学系７１の合焦距離が略１．２ｍの距離の数値を示している。また、図２４に示す状態において、被写体深度指標８２ｂは、絞り７３の絞り値が５．６である場合、距離が略０．８〜３．０ｍの範囲に存在する被写体に焦点が合うことを示している。
【０１４７】
つぎに、レンズ装置７０の内部の詳細な構成について説明する。図２５は、図２３に示す状態におけるレンズ装置７０の断面図である。図２６は、図２４に示す状態におけるレンズ装置７０の断面図である。
【０１４８】
図２５および図２６に示すように、光学系７１は、焦点距離が所定の値に固定された単焦点レンズの構成を有する。光学系７１は、物体側から像側に順に、負屈折力を有する第１群レンズＧ１１および正屈折力を有する第２群レンズＧ１２を用いて構成される。
【０１４９】
第１群レンズＧ１１は、前方側から順に、前方側に凸面を向けた第１の負メニスカスレンズＧ１１１と、前方側に凸面を向けた第２の負メニスカスレンズＧ１１２と、両凸正レンズ、両凹負レンズおよび前方側に凸面を向けた生メニスカスレンズの接合レンズＧ１１３と、両凹負レンズＧ１１４と、両凸正レンズＧ１１５と、を用いて構成される。
【０１５０】
第２群レンズＧ１２は、正屈折力を有する副レンズ群Ｇ１３と、正屈折力を有するフォーカスレンズ群Ｇ１４とを用いて構成される。副レンズ群Ｇ１３は、前方側から順に、両凹負レンズおよび両凸正レンズの接合レンズＧ１３１と、両凸正レンズＧ１３２とを用いて構成される。フォーカスレンズ群Ｇ１４は、両凸正レンズＧ１４１を用いて構成される。なお、フォーカスレンズ群Ｇ１４は、複数のレンズによって構成されてもよい。
【０１５１】
以上のように構成された光学系７１は、第１群レンズＧ１１の第２の負メニスカスレンズＧ１１２の両面と副レンズ群Ｇ１３の両凸正レンズＧ１３２の両面との４面が非球面である。光学系７１は、フォーカスレンズ群Ｇ１４が他のレンズに対して、光軸Ｏに沿う方向に移動することによって、合焦距離が変化する。ここで、合焦距離の変化とは、合焦させようとする被写体までの距離を変化させることである。なお、以下においては、第１群レンズＧ１１および副レンズ群Ｇ１３を固定レンズ群と称する。
【０１５２】
また、レンズ装置７０の内部には、固定枠８４と、固定レンズ群保持枠８５と、フォーカスレンズ保持枠８６と、レンズ駆動部７２（図示せず）と、アクチュエータ７６２と、アクチュエータ駆動部７６３と、位置検出部７６４と、回転位置検出部７６５と、が配設されている。
【０１５３】
固定枠８４は、基端部８１に固定されて設けられている。固定枠８４は、円筒状をなす第１固定枠８４ａおよび第２固定枠８４ｂによって構成される。第１固定枠８４ａは、複数のビス８１ｂによって、基端部８１に固定される。第２固定枠８４ｂは、複数のビス８１ｃによって、第１固定枠８４ａの前方側に固定される。第２固定枠８４ｂの前方側には、指標表示枠８２が固定される。なお、基端部８１および固定枠８４の一部または全部は、一体的に形成されてもよい。
【０１５４】
固定枠８４の外周部には、固定枠８４に対して、操作リング７６１および距離表示部８３が摺動可能に配置される。具体的には、操作リング７６１は、レンズ装置７０の外周面上に露出して、ユーザの指がかかるように外周部に凹凸が設けられた略円筒状をなすアクチュエータ駆動制御部７６１ａおよびアクチュエータ駆動制御部７６１ａの内側に所定の隙間を有して配設された略円筒状をなすビスによる３つの取り付け穴７６２ｆと突起部と嵌合する位置決め穴７６２ｅが形成された内周円筒部７６１ｂを有する。内周円筒部７６１ｂは、固定枠８４の第１固定枠８４ａの外周側に対して、光軸Ｏ方向および光軸Ｏ周りの回転方向に摺動可能に嵌合している。なお、アクチュエータ駆動制御部７６１ａおよび内周円筒部７６１ｂの一部または全部は、一体的に形成されてもよい。
【０１５５】
アクチュエータ駆動制御部７６１ａの内周面上には、外周側に突出し、断面が略四角形状をなす凹部７６１ｃ、および外周側に突出し、断面が略三角形状をなす溝部７６１ｃがそれぞれ周方向に全周にわたって形成されている。
【０１５６】
また、第１固定枠８４ａの溝部７６１ｃに対向する箇所には、貫通孔８４ｃが設けられている。貫通孔８４ｃ内には、後述するアクチュエータ７６２の一部をなすボール７６２ａが遊嵌している。
【０１５７】
位置検出部７６４は、フォトインタラプタまたは磁気センサ等を用いて構成され、操作リング７６１の位置を検出する。具体的には、位置検出部７６４は、操作リング７６１の一部が検出範囲内に進入した場合、操作リング７６１が第２の位置に位置していることを示す検出信号をレンズ制御部７７へ出力する。これに対して、位置検出部７６４は、操作リング７６１の一部が検出範囲内にない場合、操作リング７６１が第１の位置に位置していることを示す検出信号をレンズ制御部７７へ出力する。
【０１５８】
回転位置検出部７６５は、エンコーダおよびフォトインタラプタを用いて構成され、操作リング７６１の光軸Ｏ周りの回転方向および回転量を検出する。具体的には、回転位置検出部７６５は、操作リング７６１に周方向に所定の間隔で設けられた複数の遮光片の通過をフォトインタラプタで検出し、このフォトインタラプタの出力信号に基づいて、操作リング７６１に回転方向および回転量を検出する。なお、回転位置検出部７６５は、ポテンショメータを用いて構成してもよい。
【０１５９】
ここで、図２５および図２６で示したアクチュエータ７６２について詳細に説明する。図２７は、アクチュエータ７６２の構成を示す上面図である。図２８は、図２７の矢視Ｆ方向からの側面図である。図２９は、アクチュエータ７６２を模式的に示す断面図である。
【０１６０】
図２７〜図２９に示すように、アクチュエータ７６２は、凹部７６１ｂまたは溝部７６１ｃに接触するボール７６２ａと、ボール７６２ａを支持し、第１の弾性板バネ７６２ｂと、第１の弾性板バネ７６２ｂを介してボール７６２ａをレンズ鏡筒１００の所定の径方向の外側に向けて付勢するポリマアクチュエータ７６２ｃと、円環状をなし、ポリマアクチュエータ７６２ｃを支持する第２の弾性板バネ７６２ｄと、アクチュエータ制御部２５２の制御のもと、ポリマアクチュエータ７６２ｃに電圧を印加する印加部７３２ｅと、を有する。第１の弾性板バネ７６２ｂには、凹部７６２ｆが設けられている。凹部７６２ｆは、ボール７６２ａを保持する。また、ボール７６２ａ、第１の弾性板バネ７６２ｂ、ポリマアクチュエータ７６２ｃは、第２の弾性板バネ７６２ｄに複数設けられる。なお、第１の弾性板バネ７６２ｂ、ポリマアクチュエータ７６２ｃおよび第２の弾性板バネ７６２ｄは、一体的に形成されてもよい。
【０１６１】
上述したアクチュエータ７６２は、操作リング７６１が第１の位置Ａに位置している場合（図２３および図２５を参照）、ボール７６２ａが溝部７６１ｃに当接する。また、アクチュエータ７６２は、操作リング７６１が第２の位置Ｂに位置している場合（図２４および図２６を参照）、ボール７６２ａが凹部７６１ｂに当接する。このように、ボール７６２ａは、凹部７６１ｂと溝部７６１ｃとの間が突起しているため、操作リング７６１の位置に関わらず、凹部７６１ｂまたは溝部７６１ｃのいずれかの一方に当接する。これにより、操作リング７６１は、移動可動範囲の前方寄りに位置している場合、ボール７６２ａによって前方側に向って付勢され、第１の位置Ａに位置決めされる。これに対して、操作リング７６１は、移動可動範囲の後方寄りに位置している場合、ボール７６２ａによって後方側に向って付勢され、第２の位置Ｂに位置決めされる。
【０１６２】
このように、操作リング７６１は、外部から外力が加えられていない場合、アクチュエータ７６２によって、第１の位置Ａまたは第２の位置Ｂのいずれか一方の位置に配置される。また、アクチュエータ７６２は、上述した実施の形態と同様に、撮像装置２００が動画撮影を行っている場合、アクチュエータ制御部２５２の制御のもと、ポリマアクチュエータ７６２ｃがボール７６２ａを径方向の外側に付勢する押圧力を低下させる。
【０１６３】
以上説明した本発明の実施の形態２によれば、アクチュエータ制御部２５２が動画撮影判定部２５１によって撮像装置２００が動作撮影を行っていると判定した場合、アクチュエータ７６２が操作リング７６１を径方向の外側に押圧する押圧力を低下させる制御を行うことにより、操作リング７６１とボール７６２ａとの間に生じる抵抗力を低下させる。この結果、撮像装置２００が動画撮影を行っている場合、ユーザが操作リング７６１を光軸Ｏ周りに回転または光軸Ｏ方向に前後させても、クリック音を生じさせることなく、滑らかに特殊効果画像処理または補助効果画像処理を切り換えることができる。
【０１６４】
（実施の形態２の変形例１）
また、本実施の形態２において、押圧部としてのアクチュエータの構成を変更することも可能である。図３０は、本実施の形態２の変形例１にかかるアクチュエータの一部をなす断面図である。なお、以下においては、同一の部分には同一の符号を付して説明する。
【０１６５】
図３０に示すように、アクチュエータ９０は、操作リング７６１に形成された溝部７６１ｃに当接する合成樹脂製のボール９１ａが封入されて一体化された円錐形状の接触子９１ｂと、この可動部材の中心部にはポリマアクチュエータ９３を挟み込むと接合するための両側に溝９５が形成された両持ち支持構造である。また、合成樹脂製のボール９１ａの外形は円錐形状した接触子９１ｂの内周面の４点で支持されている。一方、径方向の外形に撓み変位するポリマアクチュエータ９３は操作リング７６１にビス９２で固定されている。ポリマアクチュエータ９３に電圧を印加するアクチュエータ駆動部としての印加部９４と、を有する。このように、アクチュエータ９０は、円錐形状の接触子９１ｂが溝部７６１ｃから離間している場合において、ポリマアクチュエータ９３に電圧が印加されたとき、径方向の外形に向けて撓むことにより、円錐形状の接触子９１ｂが溝部７６１ｃに当接する。
【０１６６】
なお、ポリマアクチュエータ９３は、板バネ等の弾性部材と背面接合するように構成してもよい。また、両持ち支持構造は片持ち支持構造としてもよい。あるいは、円錐形状した可動部材９１ｂに合成樹脂製のボール９１ａを封入したが、製造コストを低減するために円錐形状した接触子９１ｂに内周面を形成しボール９１ａの封入を省略することもできる。さらに、接触子の外形は円形、楕円形等、操作リング７６１の内周に形成された凹部または溝部に合わせて、さまざまな形状にすることができる。
【０１６７】
以上説明した本発明の実施の形態２の変形例１によれば、上述した実施の形態２と同様の効果を奏し、レンズ鏡筒の外周を大きくすることなく、ポリマアクチュエータ９３の感度を向上するために接触子９１ｂを軽量化することができる。
【０１６８】
（その他の実施の形態）
また、上述した実施の形態１，２では、撮像装置をコンパクトデジタルカメラまたはデジタル一眼レフカメラとして説明していたが、たとえば、デジタルビデオカメラ、カメラ付き携帯電話、携帯端末およびパーソナルコンピュータ等の撮影機能を備えた各種電子機器に適用することができる。
【０１６９】
本実施の形態では、特殊効果と補助効果の切り替え機構について説明したが、従来技術に示された設定できるパラメータは、シャッタスピード、ＩＳＯ感度の他に露出値、絞り値、ホワイトバランス、レンズ鏡筒のズームポジション、マニュアルフォーカスモード時のピント位置などに用いることができる。さらに、ＮＤフィルタと特殊効果の切り替え機構に置き換えることもできる。ＮＤフィルタの一例として、例えば、特開２０１０−６１００２号公報に示す複数のＮＤフィルタ４０２を備えるとともに光路から退避した位置に設けられた回動軸６０１ａを中心として回動可能に設けられて、回動することによって複数のＮＤフィルタ４０２を選択的に光路上に位置付ける動力伝達機構において本願発明のボールや円錐形状した可動部材及び駆動機構を配置することで、動画撮影時において光軸上の中心に所望のＮＤフィルタの中心を一致したときのクリック動作時に駆動音を発生することはない。
【符号の説明】
【０１７０】
１，２００                    撮像装置
２，７１                      光学系
３，７２                      レンズ駆動部
４，７３                      絞り
５，７４                      絞り駆動部
８                            撮像素子
９                            撮像素子駆動部
１２                          画像処理部
１６                          入力部
１７                          表示部
１９                          記録媒体
２０                          ＳＤＲＡＭ
２２                          Ｆｌａｓｈメモリ
２３，３０，４０，５０，７６  アクチュエータ駆動制御部
３１，４１，５１，９１ａ，２３２ａ，７６２ａ  ボール
３３，４２，２３２ｇ          押圧バネ
３４                          可動コイル
３５                          内ヨーク
３６                          外ヨーク
３７                          永久磁石
３９，４７，２３２ｈ          板バネ
４３，５３，９３，７６２ｃ    ポリマアクチュエータ
４５                          印加電圧線
４８                          ボンディングワイヤ
６０                          本体部
６１                          本体通信部
７０                          レンズ装置
７７                          レンズ制御部
９０，２３２，７６２          アクチュエータ
９４，７３２ｅ                印加部
１００                        レンズ鏡筒
１２１                        基本画像処理部
１２２                        特殊効果画像処理部
１２３                        補助効果画像処理部
１６４                        動画スイッチ
２２１                        プログラム記録部
２２２                        特殊効果処理情報記録部
２２３                        補助効果処理情報記録部
２３１ａ                      凹部
２３１ｂ，７６１ｃ            溝部
２３１，７６１                操作リング
２３２ｃ                      圧電素子
２３３                        アクチュエータ駆動部
２３４，７６４                位置検出部
２３５，７６５                回転位置検出部
２５１                        動画撮影判定部
２５２                        アクチュエータ制御部
２５３                        画像処理制御部
２５４                        表示制御部
【図１】
0005860690.tif 000002
【図２】
0005860690.tif 000003
【図３】
0005860690.tif 000004
【図４】
0005860690.tif 000005
【図５】
0005860690.tif 000006
【図６】
0005860690.tif 000007
【図７】
0005860690.tif 000008
【図８】
0005860690.tif 000009
【図９】
0005860690.tif 000010
【図１０】
0005860690.tif 000011
【図１１】
0005860690.tif 000012
【図１２】
0005860690.tif 000013
【図１３Ａ】
0005860690.tif 000014
【図１３Ｂ】
0005860690.tif 000015
【図１４】
0005860690.tif 000016
【図１５】
0005860690.tif 000017
【図１６】
0005860690.tif 000018
【図１７】
0005860690.tif 000019
【図１８】
0005860690.tif 000020
【図１９】
0005860690.tif 000021
【図２０】
0005860690.tif 000022
【図２１】
0005860690.tif 000023
【図２２】
0005860690.tif 000024
【図２３】
0005860690.tif 000025
【図２４】
0005860690.tif 000026
【図２５】
0005860690.tif 000027
【図２６】
0005860690.tif 000028
【図２７】
0005860690.tif 000029
【図２８】
0005860690.tif 000030
【図２９】
0005860690.tif 000031
【図３０】
0005860690.tif 000032